(57)【要約】【課題】ユーザが気軽に寄付活動を行うこと。【解決手段】寄付システム１００では、サーバ１０が、端末装置２０からユーザに関する情報を取得し、取得したユーザに関する情報とアンケートの実施対象のユーザを選定するための選定条件とに基づいて、アンケートの実施対象のユーザを選定する。そして、サーバ１０は、選定したユーザの端末装置２０に、アンケートに回答することで寄付団体に寄付されるアンケートの情報を通知する。【選択図】図１
2020144694.tif 000002
【特許請求の範囲】
【請求項１】
端末装置からユーザに関する情報を取得する取得部と、
前記取得部によって取得されたユーザに関する情報とアンケートの実施対象のユーザを選定するための選定条件とに基づいて、アンケートの実施対象のユーザを選定する選定部と、
前記選定部によって選定されたユーザの端末装置に、アンケートに回答することで寄付団体に寄付されるアンケートの情報を通知する通知部と
を有することを特徴とする寄付システム。
【請求項２】
前記取得部は、前記ユーザに関する情報として、ユーザの属性情報および前記端末装置の位置情報を取得し、
前記選定部は、前記取得部によって取得された前記属性情報および前記位置情報のうち、前記選定条件を満たすユーザを選定することを特徴とする請求項１に記載の寄付システム。
【請求項３】
前記通知部は、前記アンケートの情報とともに、アンケートに回答することで寄付される寄付金額を通知することを特徴とする請求項１に記載の寄付システム。
【請求項４】
ユーザ毎に前記アンケートに回答した回数を計数し、アンケートの回数に応じて、アンケートに回答したユーザに関する情報を他のユーザの端末装置に送信する送信部をさらに有することを特徴とする請求項１に記載の寄付システム。
【請求項５】
ユーザの属性情報の入力を受け付ける受付ステップと、
前記受付ステップによって受け付けたユーザの属性情報と前記ユーザの端末装置の位置情報とをサーバに送信する送信ステップと、
アンケートに回答することで寄付団体に寄付されるアンケートの情報を前記サーバから受信する受信ステップと、
前記受信ステップによって受信されたアンケートの情報を表示する表示ステップと
をコンピュータに実行させることを特徴とする寄付プログラム。
【請求項６】
端末装置からユーザに関する情報を取得する取得部と、
前記取得部によって取得されたユーザに関する情報とクイズの実施対象のユーザを選定するための選定条件とに基づいて、クイズの実施対象のユーザを選定する選定部と、
前記選定部によって選定されたユーザの端末装置に、クイズに回答することで寄付団体に寄付されるクイズの情報を通知する通知部と
を有することを特徴とする寄付システム。
【請求項７】
端末装置からユーザに関する情報を取得する取得部と、
前記取得部によって取得されたユーザに関する情報と画像コンテンツの視聴対象のユーザを選定するための選定条件とに基づいて、画像コンテンツの視聴対象のユーザを選定する選定部と、
前記選定部によって選定されたユーザの端末装置に、画像コンテンツを視聴することで寄付団体に寄付される画像コンテンツを通知する通知部と
を有することを特徴とする寄付システム。
【発明の詳細な説明】
【技術分野】
【０００１】
本発明は、寄付システムおよび寄付プログラムに関する。
【背景技術】
【０００２】
従来、様々な慈善団体や公的機関への寄付活動に関しては、古くから盛んに行われている。例えば、テレビのＣＭ等で、発展途上国の子供への支援を募り、募金を活動資金にあてるといった例がある。また、近年のタイガーマスク運動にみられるように、自発的に児童養護施設などに寄付するといった形態も存在する。
【０００３】
また、寄付ではないが、ボランティア活動を通じて、支援するという方法も存在する。これは、慈善団体等の活動に、自発的に労働を提供することで、活動の支援を行うものである。このような活動は、国や自治体などの公的機関の予算でまかないきれない部分の大きな助けになっている。
【先行技術文献】
【特許文献】
【０００４】
【特許文献１】特開２００８−１３４９２５号公報
【発明の概要】
【発明が解決しようとする課題】
【０００５】
しかしながら、従来の寄付活動について、積極的に参加する人も存在するが、必ずしも広く一般の人すべてに普及している訳ではなく、ユーザが気軽に寄付活動を行うことが難しい場合があるという課題があった。例えば、寄付活動に関しては、寄付することで自分の所有するお金が減ってしまうこと、寄付した金額がどのように使われているかどうかが良くわからないこと、寄付に伴う手続きが面倒であること等が普及の妨げになっていると考えられる。
【０００６】
また、ボランティア等の労働を提供するという方式も考えられる。しかし、その場合は一定時間作業を行う必要がある。結果として、まとまった時間をとられてしまい、簡単に行うことができない。
【課題を解決するための手段】
【０００７】
上述した課題を解決し、目的を達成するために、本発明の寄付システムは、端末装置からユーザに関する情報を取得する取得部と、前記取得部によって取得されたユーザに関する情報とアンケートの実施対象のユーザを選定するための選定条件とに基づいて、アンケートの実施対象のユーザを選定する選定部と、前記選定部によって選定されたユーザの端末装置に、アンケートに回答することで寄付団体に寄付されるアンケートの情報を通知する通知部とを有することを特徴とする。
【０００８】
また、本発明の寄付プログラムは、ユーザの属性情報の入力を受け付ける受付ステップと、前記受付ステップによって受け付けたユーザの属性情報と前記ユーザの端末装置の位置情報とをサーバに送信する送信ステップと、アンケートに回答することで寄付団体に寄付されるアンケートの情報を前記サーバから受信する受信ステップと、前記受信ステップによって受信されたアンケートの情報を表示する表示ステップとをコンピュータに実行させることを特徴とする。
【発明の効果】
【０００９】
本発明によれば、ユーザが気軽に寄付活動を行うことができるという効果を奏する。
【図面の簡単な説明】
【００１０】
【図１】図１は、第１の実施形態に係る寄付システムの概要を示す図である。
【図２】図２は、第１の実施形態に係るサーバの構成例を示すブロック図である。
【図３】図３は、選定条件記憶部に記憶されるデータ構成の一例を示す図である。
【図４】図４は、ユーザ情報記憶部に記憶されるデータ構成の一例を示す図である。
【図５】図５は、寄付情報記憶部に記憶されるデータ構成の一例を示す図である。
【図６】図６は、第１の実施形態に係る端末装置の構成例を示すブロック図である。
【図７】図７は、端末装置に表示されるアンケート画面の表示例を示す図である。
【図８】図８は、第１の実施形態に係る寄付システムにおける処理の流れの一例を示すシーケンス図である。
【図９】図９は、プログラムを実行するコンピュータを示す図である。
【発明を実施するための形態】
【００１１】
以下に、本願に係る寄付システムおよび寄付プログラムの実施形態を図面に基づいて詳細に説明する。なお、この実施形態により本願に係る寄付システムおよび寄付プログラムが限定されるものではない。
【００１２】
［第１の実施形態］
以下の実施形態では、第１の実施形態に係る寄付システム１００の構成、サーバ１０の構成、端末装置２０の構成、寄付システム１００における処理の流れを順に説明し、最後に第１の実施形態による効果を説明する。
【００１３】
［寄付システムの構成］
図１は、第１の実施形態に係る寄付システムの概要を示す図である。第１の実施形態に係る寄付システムは、サーバ１０と、端末装置２０と、企業３０と、アンケート運営会社４０と、寄付団体５０とを有する。なお、図１に示す構成は一例にすぎず、具体的な構成や各装置の数は特に限定されない。
【００１４】
サーバ１０は、端末装置２０に対してアンケートの参加を依頼する。例えば、サーバ１０は、依頼を行う際には、回答によって寄付される金額を明示する。アンケートを依頼されたユーザは、端末装置２０のアプリケーションを通じて、アンケートへの回答を行う。アンケートへの回答は、スマートフォンのアプリケーションを通じて実施するため、例えば、スポーツの試合開始前やハーフタイム等の空いた時間に実施すればよい。また、ユーザ自身への報酬が無くても困っている人を助けることになることから、アンケートに対する回答のモチベーションにつながる。
【００１５】
端末装置２０は、例えば、スマートフォン、携帯電話機、ＰＤＡ（Personal  Digital  Assistant）、タブレット型ＰＣ、ノート型ＰＣ等の情報処理装置である。端末装置２０は、事前にアンケート参加用のアプリケーションがインストールされているものとする。なお、アプリケーションのインストールは、例えば、ユーザの自宅で行ってもよいし、インベント等の会場でインストールを促してもよい。端末装置２０は、アプリケーションのインストールの際には、ユーザの操作により、ユーザの年齢、性別、住所等のプロファイルを登録するものとする。
【００１６】
企業３０は、アンケートを募集する企業である。企業３０は、アンケートの実施対象のユーザを選定するための選定条件をサーバ１０に設定する。例えば、企業３０は、選定条件として、アンケート参加者が事前に登録したプロファイルと、端末装置２０の位置情報とを利用して、誰にどのアンケートを依頼するかを設定する。
【００１７】
例えば、回答に時間がかかるような質問項目の多いアンケートに関しては、行列の待ち時間が長い人気のテーマパークにいる人を対象としたり、夕方に都心部の駅や新幹線の駅にいる帰宅途中の人を対象としたりすることで、時間をかけてじっくりと回答してもらい、信頼度の高いアンケートを実施することが可能である。
【００１８】
また、イベント会場で新商品の販売や、試飲会を行っているような場合には、そのイベント会場に来ている人のみを対象としてアンケートを実施することで、アンケートに参加した人がその場で商品を試す確率を高めることが可能である。
【００１９】
また、企業３０は、アンケートの回答内容をサーバ１０からダウンロードするとともに、報酬および手数料をアンケート運営会社４０に渡す。アンケート運営会社４０は、手数料を除いた報酬を寄付先である寄付団体５０に寄付する。また、企業３０は、アンケートの回答者数が多くなり過ぎないように、予算の上限をサーバ１０に設定してもよい。この場合には、サーバ１０は、予算の上限を超えた場合には、端末装置２０からのアンケートの受け付けを終了するようにしてもよい。また、寄付団体５０は、寄付を行ったユーザの端末装置２０に対してお礼のメッセージを送信するようにしてもよい。
【００２０】
［サーバの構成］
次に、図２を用いて、サーバ１０の構成を説明する。図２は、第１の実施形態に係るサーバの構成例を示すブロック図である。図２に示すように、サーバ１０は、通信処理部１１、制御部１２および記憶部１３を有する。以下にサーバ１０が有する各部の処理を説明する。
【００２１】
通信処理部１１は、接続される装置との間でやり取りする各種情報に関する通信を制御する。例えば、通信処理部１１は、アンケートに回答することで寄付団体に寄付されるアンケートの情報を端末装置２０へ通知する。
【００２２】
また、記憶部１３は、制御部１２による各種処理に必要なデータおよびプログラムを格納し、選定条件記憶部１３ａ、ユーザ情報記憶部１３ｂおよび寄付情報記憶部１３ｃを有する。例えば、記憶部１３は、ＲＡＭ、フラッシュメモリ等の半導体メモリ素子、又は、ハードディスク、光ディスク等の記憶装置などである。
【００２３】
選定条件記憶部１３ａは、アンケートの実施対象のユーザを選定するための選定条件を記憶する。選定条件記憶部１３ａに記憶される選定条件は、アンケートを依頼する企業３０に設定された条件である。例えば、選定条件記憶部１３ａは、図３に例示するように、アンケートを一意に識別する「アンケートＩＤ」ごとに、端末装置２０の位置情報に関する「選定条件（位置）」とユーザのプロファイル情報に関する「選定条件（プロファイル）」とを記憶する。なお、選定条件は、これに限定されるものではなく、例えば、日付や時間帯等の条件があってもよい。なお、ここで位置情報とは、位置を特定するための情報であればどのような情報であってもよく、例えば、経度および緯度により特定されるＧＰＳ座標であってもよいし、地域名もしくは施設名であってもよい。
【００２４】
ユーザ情報記憶部１３ｂは、ユーザのプロファイル情報やユーザが寄付した回数や寄付金額の情報を記憶する。例えば、図４に例示するように、ユーザ情報記憶部１３ｂは、ユーザを一意に識別する「ユーザＩＤ」ごとに、ユーザの「性別」と、ユーザの「年齢」と、ユーザの「住所」と、ユーザの「趣味」と、ユーザのＳＮＳのＩＤやＵＲＬを示す「ＳＮＳ情報」と、ユーザが寄付システム１００で寄付した回数である「寄付回数」と、ユーザが寄付システム１００にて寄付した総額である「寄付総額」とを対応付けて記憶する。
【００２５】
寄付情報記憶部１３ｃは、寄付先である慈善団体ごとに寄付された寄付金の総額を記憶する。例えば、図５に例示するように、寄付情報記憶部１３ｃは、寄付先の慈善団体の名称である「慈善団体名」ごとに、寄付金の総額である「寄付総額」を記憶する。
【００２６】
制御部１２は、各種の処理手順などを規定したプログラムおよび所要データを格納するための内部メモリを有し、これらによって種々の処理を実行する。例えば、制御部１２は、取得部１２ａ、選定部１２ｂ、通知部１２ｃおよび送信部１２ｄを有する。ここで、制御部１２は、例えば、ＣＰＵやＭＰＵなどの電子回路やＡＳＩＣやＦＰＧＡなどの集積回路である。
【００２７】
取得部１２ａは、端末装置２０からユーザに関する情報を取得する。具体的には、取得部１２ａは、ユーザに関する情報として、ユーザのプロファイル情報および端末装置２０の位置情報を取得する。例えば、取得部１２ａは、端末装置２０がアンケートに回答することで寄付が行えるアプリケーションをインストールした際に、端末装置２０からユーザが入力した性別、年齢、住所、趣味、ＳＮＳ情報等のプロファイル情報を取得し、ユーザ情報記憶部１３ｂに格納する。また、取得部１２ａは、ユーザにアンケートを依頼するタイミングで、端末装置２０から位置情報を取得する。なお、プロファイル情報および位置情報を取得するタイミングは、上記に限定されるものではなく、どのようなタイミングであってもよい。
【００２８】
選定部１２ｂは、取得部１２ａによって取得されたユーザに関する情報とアンケートの実施対象のユーザを選定するための選定条件とに基づいて、アンケートの実施対象のユーザを選定する。具体的には、選定部１２ｂは、取得部１２ａによって取得されたプロファイル情報および位置情報のうち、選定条件を満たすユーザを選定する。例えば、図３の例を用いて説明すると、選定部１２ｂは、アンケートＩＤ「１」の選定条件を選定条件記憶部１３ａから取得し、位置Ａに位置する端末装置２０を所持し、且つ、プロファイル情報のユーザの性別が「男性」であり、年齢が２０代（２０歳〜２９歳）であるユーザを選定する。続いて、選定部１２ｂは、アンケートＩＤ「２」以降の選定条件についても、同様にユーザを選定する処理を行う。これにより、選定部１２ｂは、各アンケートについて、選定条件に該当するユーザをそれぞれ選定する。
【００２９】
通知部１２ｃは、選定部１２ｂによって選定されたユーザの端末装置２０に、アンケートに回答することで寄付団体に寄付されるアンケートの情報を通知する。例えば、通知部１２ｃは、アプリケーションを通じて端末装置２０にポップアップでアンケートの依頼を通知してもよいし、電子メール等でアンケートの依頼を通知するようにしてもよい。
【００３０】
また、通知部１２ｃは、アンケートの情報とともに、アンケートに回答することで寄付される寄付金額を通知するようにしてもよい。また、通知部１２ｃは、ユーザ自らが寄付したい団体を選択できるようにしてもよい。これにより、ユーザが納得した寄付先に寄付することが可能である。なお、寄付先については、慈善位設定してもよいし、アンケートの回答後に設定してもよい。また、端末装置２０に表示される画面例については、後に図７を用いて説明する。
【００３１】
また、通知部１２ｃは、端末装置２０の要求に応じて、寄付先ごとの寄付金の集まり状況やユーザが寄付した寄付金額の累計金額を通知するようにしてもよい。例えば、通知部１２ｃは、端末装置２０から寄付先ごとの寄付金の集まり状況の表示要求があった場合には、寄付情報記憶部１３ｃから寄付先の慈善団体ごとの寄付総額を読み出し、寄付先ごとの寄付金の集まり状況の画面情報を作成し、端末装置２０に通知する。また、例えば、通知部１２ｃは、端末装置２０からユーザが寄付した寄付金額の累計金額の表示要求があった場合には、ユーザ情報記憶部１３ｂから対象ユーザの寄付総額を読み出し、ユーザが寄付した寄付金額の累計金額を示す画面情報を作成し、端末装置２０に通知する。
【００３２】
送信部１２ｄは、ユーザ毎にアンケートに回答した回数を計数し、アンケートに回答した回数に応じて、アンケートに回答したユーザに関する情報を他のユーザの端末装置に送信する。例えば、送信部１２ｄは、ユーザがアンケートに回答して寄付を行うたびに、ユーザ情報記憶部１３ｂの寄付回数を更新する。そして、送信部１２ｄは、例えば、アンケートの回数が所定の閾値を超えた場合には、ユーザ情報記憶部１３ｂからユーザのＳＮＳ情報を読み出し、同じ趣味や同じ地域に住所がある他のユーザを特定し、同じ趣味や同じ地域に住所があるユーザの端末装置にＳＮＳ情報を送信する。なお、送信する情報は、ＳＮＳ情報に限定されるものではなく、ユーザが所属している団体のホームページの情報等であってもよい。
【００３３】
このように、アンケートに回答した回数に応じて、ＳＮＳ情報等を他のユーザの端末装置に送信することで、積極的に寄付活動を実施するモチベーションを上げることができる。最近のＳＮＳ等では、いわゆる「いいね！ボタン」を多く獲得したいという欲求が高まっている。寄付活動に参加することで、自己のＳＮＳ情報等を他の人に見てもらう機会を増やすことで、「いいね！ボタン」を多く獲得することが可能となる。ＳＮＳをやっていない人であっても、自己の参加するサークルや団体等の情報を他の人に知ってもらう良い機会となり、積極的に参加させることが可能である。
【００３４】
［端末装置の構成］
次に、図６を用いて、端末装置２０の構成を説明する。図６は、第１の実施形態に係る端末装置の構成例を示すブロック図である。図６に示すように、端末装置２０は、通信処理部２１、制御部２２および記憶部２３を有する。以下に端末装置２０が有する各部の処理を説明する。
【００３５】
通信処理部２１は、接続される装置との間でやり取りする各種情報に関する通信を制御する。例えば、通信処理部２１は、ユーザのプロファイル情報や、自端末装置２０の位置情報、アンケートに対する回答をサーバ１０に送信する。
【００３６】
また、記憶部２３は、制御部２２による各種処理に必要なデータおよびプログラムを格納する。例えば、記憶部２３は、ＲＡＭ、フラッシュメモリ等の半導体メモリ素子、又は、ハードディスク、光ディスク等の記憶装置などである。
【００３７】
制御部２２は、各種の処理手順などを規定したプログラムおよび所要データを格納するための内部メモリを有し、これらによって種々の処理を実行する。例えば、制御部２２、受付部２２ａ、送信部２２ｂ、受信部２２ｃおよび表示部２２ｄを有する。ここで、制御部２２は、例えば、ＣＰＵやＭＰＵなどの電子回路やＡＳＩＣやＦＰＧＡなどの集積回路である。
【００３８】
受付部２２ａは、ユーザのプロファイル情報の入力を受け付ける。例えば、受付部２２ａは、アンケートに回答することで寄付が行えるアプリケーションのインストールの際に、ユーザの操作により入力されたユーザの年齢、性別、居住地等のプロファイル情報を受け付ける。
【００３９】
送信部２２ｂは、受付部２２ａによって受け付けたユーザのプロファイル情報とユーザの端末装置２０の位置情報とをサーバ１０に送信する。例えば、送信部２２ｂは、受付部２２ａによってユーザのプロファイル情報を受け付けると、プロファイル情報をサーバ１０に送信する。また、送信部２２ｂは、ユーザの操作によりプロファイル情報が更新された場合にも更新後のプロファイル情報をサーバ１０に送信する。また、例えば、送信部２２ｂは、サーバ１０がアンケートを依頼するユーザを選定する際に、サーバ１０から位置情報の要求を受け付けると、自端末装置２０の位置情報をサーバ１０に送信する。
【００４０】
受信部２２ｃは、アンケートに回答することで寄付団体に寄付されるアンケートの情報をサーバ１０から受信する。例えば、受信部２２ｃは、サーバ１０によりアンケートの実施対象のユーザに選定された場合には、アンケートの情報を受信する。
【００４１】
表示部２２ｄは、受信部２２ｃによって受信されたアンケートの情報を表示する。例えば、表示部２２ｄは、図７に例示するように、アンケートの内容とともに、寄付される寄付金額を表示する。また、図７に例示するように、表示部２２ｄは、ユーザ自らが寄付したい寄付団体を選択できるように、寄付先候補の慈善団体を表示し、寄付先として選択するためのチェックボックスを表示する。これにより、ユーザが寄付したい慈善団体に対応するチェックボックスを選択することで、ユーザは寄付先を任意に選択することが可能である。
【００４２】
［寄付システムの処理手順］
次に、図８を用いて、第１の実施形態に係る寄付システムにおける処理の手順の例を説明する。図８は、第１の実施形態に係る寄付システムにおける処理の流れの一例を示すシーケンス図である。
【００４３】
図８に示すように、寄付システム１００の端末装置２０は、アプリケーションのインストールの際にユーザのプロファイル情報を受け付けると、プロファイル情報をサーバ１０に送信する（ステップＳ１０１）。そして、サーバ１０は、端末装置２０からユーザのプロファイル情報を受信すると、プロファイル情報をユーザ情報記憶部１３ｂに登録する（ステップＳ１０２）。
【００４４】
続いて、端末装置２０は、サーバ１０がアンケートを依頼するユーザを選定する際に、所定のタイミングで自端末装置２０の位置情報をサーバ１０に送信する（ステップＳ１０３）。そして、サーバ１０は、ユーザのプロファイル情報と位置情報とが選定条件を満たしているか判定することで、アンケートの実施対象のユーザを選定する（ステップＳ１０４）。
【００４５】
続いて、サーバ１０は、選定されたユーザの端末装置２０に、アンケートに回答することで寄付団体に寄付されるアンケートの情報を通知する（ステップＳ１０５）。例えば、サーバ１０は、アプリケーションを通じて端末装置２０にポップアップでアンケートの依頼を通知してもよいし、電子メール等でアンケートの依頼を通知するようにしてもよい。
【００４６】
そして、端末装置２０は、アンケートの情報を表示する（ステップＳ１０６）。例えば、端末装置２０は、アンケートの内容とともに、寄付される寄付金額を表示する。また、端末装置２０は、ユーザ自らが寄付したい寄付団体を選択できるように、寄付先候補の慈善団体を表示し、寄付先として選択するためのチェックボックスを表示する。
【００４７】
続いて、端末装置２０は、ユーザがアンケートに回答すると、アンケートの回答をサーバ１０に送信する（ステップＳ１０７）。そして、サーバ１０は、受信したアンケートの回答を企業３０に送信する（ステップＳ１０８）。
【００４８】
続いて、企業３０は、アンケート報酬をアンケート運営会社４０に入金する（ステップＳ１０９）。そして、アンケート運営会社４０は、寄付団体５０に寄付金を寄付する（ステップＳ１１０）。ここで、アンケート運営会社４０は、ユーザにより寄付先が選択されている場合には、選択された寄付先の寄付団体５０に寄付するものとする。
【００４９】
［第１の実施形態の効果］
第１の実施形態に係る寄付システム１００では、サーバ１０が、端末装置２０からユーザに関する情報を取得し、取得したユーザに関する情報とアンケートの実施対象のユーザを選定するための選定条件とに基づいて、アンケートの実施対象のユーザを選定する。そして、サーバ１０は、選定したユーザの端末装置２０に、アンケートに回答することで寄付団体に寄付されるアンケートの情報を通知する。これにより、寄付システム１００では、ユーザが空き時間の手間で簡単に寄付活動を行うことができるため、ユーザが気軽に寄付活動を行うことが可能である。例えば、寄付システム１００では、行列の待ち時間が長い人気のテーマパークにいる人をアンケートの実施対象のユーザに選定することで、ユーザが気軽に寄付活動を行うことが可能である。
【００５０】
また、第１の実施形態に係る寄付システム１００において、アンケートを依頼する企業３０にとっては、多くのユーザが自ら、アンケートに参加し、さらにプロファイル情報や位置情報を活用することで、アンケートの実施対象のユーザを絞って効果的にアンケートを依頼することが可能となるため、コスト削減を図ることが可能である。さらには、報酬が寄付に充てられるため、企業のイメージアップにもつながる。
【００５１】
また、第１の実施形態に係る寄付システム１００では、サーバ１０が、ユーザがアンケートに回答して寄付活動を行うと、他のユーザの端末装置にＳＮＳ情報等を送信するので、「いいね！ボタン」を多く獲得する機会が増え、ポイントや景品等のメリットがなくとも、積極的に寄付活動を実施するモチベーションを上げることが可能である。例えば、週に１回、１００円をアンケートに回答することで寄付できれば、年間で約５０００円もの寄付となり、社会への貢献も大きくなる。
【００５２】
（クイズや動画視聴）
上述の第一の実施形態では、寄付システム１００では、サーバ１０が、アンケートの実施対象のユーザを選定し、選定したユーザの端末装置にアンケートの情報を通知し、ユーザがアンケートに回答するたびに寄付が行われる場合を説明したが、これに限定されるものではない。例えば、サーバが、クイズの実施対象のユーザを選定し、選定したユーザの端末装置にクイズの情報を通知し、ユーザがクイズに回答するたびに寄付が行われるようにしてもよい。また、サーバが、画像コンテンツの視聴対象のユーザを選定し、選定したユーザの端末装置に画像コンテンツを通知し、ユーザが画像コンテンツを視聴するたびに寄付が行われるようにしてもよい。なお、ここで画像コンテンツとは、動画のコンテンツまたは静止画像のコンテンツのうち少なくともいずれか一つのコンテンツを含むものとする。
【００５３】
（システム構成等）
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００５４】
また、本実施形態において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００５５】
（プログラム）
また、上記実施形態において説明したサーバ１０、端末装置２０が実行する処理をコンピュータが実行可能な言語で記述したプログラムを作成することもできる。例えば、実施形態に係るサーバ１０、端末装置２０が実行する処理をコンピュータが実行可能な言語で記述したプログラムを作成することもできる。この場合、コンピュータがプログラムを実行することにより、上記実施形態と同様の効果を得ることができる。さらに、かかるプログラムをコンピュータ読み取り可能な記録媒体に記録して、この記録媒体に記録されたプログラムをコンピュータに読み込ませて実行することにより上記実施形態と同様の処理を実現してもよい。
【００５６】
図９は、プログラムを実行するコンピュータを示す図である。図９に例示するように、コンピュータ１０００は、例えば、メモリ１０１０と、ＣＰＵ（Central  Processing  Unit）１０２０と、ハードディスクドライブインタフェース１０３０と、ディスクドライブインタフェース１０４０と、シリアルポートインタフェース１０５０と、ビデオアダプタ１０６０と、ネットワークインタフェース１０７０とを有し、これらの各部はバス１０８０によって接続される。
【００５７】
メモリ１０１０は、図９に例示するように、ＲＯＭ（Read  Only  Memory）１０１１及びＲＡＭ１０１２を含む。ＲＯＭ１０１１は、例えば、ＢＩＯＳ（Basic  Input  Output  System）等のブートプログラムを記憶する。ハードディスクドライブインタフェース１０３０は、図９に例示するように、ハードディスクドライブ１０９０に接続される。ディスクドライブインタフェース１０４０は、図９に例示するように、ディスクドライブ１１００に接続される。例えば磁気ディスクや光ディスク等の着脱可能な記憶媒体が、ディスクドライブ１１００に挿入される。シリアルポートインタフェース１０５０は、図９に例示するように、例えばマウス１１１０、キーボード１１２０に接続される。ビデオアダプタ１０６０は、図９に例示するように、例えばディスプレイ１１３０に接続される。
【００５８】
ここで、図９に例示するように、ハードディスクドライブ１０９０は、例えば、ＯＳ１０９１、アプリケーションプログラム１０９２、プログラムモジュール１０９３、プログラムデータ１０９４を記憶する。すなわち、上記のプログラムは、コンピュータ１０００によって実行される指令が記述されたプログラムモジュールとして、例えばハードディスクドライブ１０９０に記憶される。
【００５９】
また、上記実施形態で説明した各種データは、プログラムデータとして、例えばメモリ１０１０やハードディスクドライブ１０９０に記憶される。そして、ＣＰＵ１０２０が、メモリ１０１０やハードディスクドライブ１０９０に記憶されたプログラムモジュール１０９３やプログラムデータ１０９４を必要に応じてＲＡＭ１０１２に読み出し、各種処理手順を実行する。
【００６０】
なお、プログラムに係るプログラムモジュール１０９３やプログラムデータ１０９４は、ハードディスクドライブ１０９０に記憶される場合に限られず、例えば着脱可能な記憶媒体に記憶され、ディスクドライブ等を介してＣＰＵ１０２０によって読み出されてもよい。あるいは、プログラムに係るプログラムモジュール１０９３やプログラムデータ１０９４は、ネットワーク（ＬＡＮ（Local  Area  Network）、ＷＡＮ（Wide  Area  Network）等）を介して接続された他のコンピュータに記憶され、ネットワークインタフェース１０７０を介してＣＰＵ１０２０によって読み出されてもよい。
【００６１】
上記の実施形態やその変形は、本願が開示する技術に含まれると同様に、特許請求の範囲に記載された発明とその均等の範囲に含まれるものである。
【符号の説明】
【００６２】
１０  サーバ
１１、２１  通信処理部
１２、２２  制御部
１２ａ  取得部
１２ｂ  選定部
１２ｃ  通知部
１２ｄ、２２ｂ  送信部
１３、２３  記憶部
１３ａ  選定条件記憶部
１３ｂ  ユーザ情報記憶部
１３ｃ  寄付情報記憶部
２０  端末装置
２２ａ  受付部
２２ｃ  受信部
２２ｄ  表示部
３０  企業
４０  アンケート運営会社
５０  寄付団体
【図１】
2020144694.tif 000003
【図２】
2020144694.tif 000004
【図３】
2020144694.tif 000005
【図４】
2020144694.tif 000006
【図５】
2020144694.tif 000007
【図６】
2020144694.tif 000008
【図７】
2020144694.tif 000009
【図８】
2020144694.tif 000010
【図９】
2020144694.tif 000011